(57)【要約】【課題】  アンテナの設置場所においてアンテナの受信信号レベルを表示することのできる信号レベル表示器とする。【解決手段】  アンテナ２より受信された受信信号から、アンテナ２の受信帯域のみをＢＰＦ１０で抽出し、ＢＰＦ１０で帯域制限された受信信号を増幅器１１で増幅し、増幅された受信信号のレベルをゲイン調整器１２で調整する。ゲイン調整器１２からの出力を検波回路１３で検波し、検波信号と基準電圧とを比較回路１４ａ〜１４ｅで比較して、その比較出力に応じて表示器１５ａ〜１５ｅが点灯されるようになる。これにより、アンテナ２が受信した受信信号のレベルを表示器１５ａ〜１５ｅの点灯状態により表示することができる。【選択図】  図１
2007189287.tif 000002
【特許請求の範囲】
【請求項１】
アンテナにより受信された受信信号が入力され、該受信信号から前記アンテナの受信帯域のみの受信信号を抽出するフィルタ手段と、
該フィルタ手段により抽出された受信信号を増幅する増幅手段と、
該増幅手段から出力される増幅された受信信号のレベルを調整することのできるゲイン調整手段と、
該ゲイン調整手段からの出力を検波する検波手段と、
該検波手段から出力される検波信号と、それぞれ異なる基準電圧とを比較する複数の比較手段と、
該複数の比較手段からの複数の比較出力に応じて各々点灯制御されることにより、前記アンテナが受信した前記受信信号のレベルを点灯状態により表示することのできる複数の表示手段と、
を備えることを特徴とする信号レベル表示器。
【発明の詳細な説明】
【技術分野】
【０００１】
本発明は、テレビ信号受信用アンテナを設置する際、アンテナの方向を最良の方向へ設置するための信号レベル表示器に関する。
【背景技術】
【０００２】
一般家庭においてテレビ放送受信用のアンテナを設置し、その方向を調整する場合、従来の地上アナログ放送では、テレビ画面を観察しながらアンテナの方向を変えていきゴースト障害等が最善になる方向に設置している。アンテナの設置は、家の新築時やアンテナ故障時に行われるが、設置場所が屋根等の高所とされると共に、専門的な知識が必要とされるため、ほとんどが専門の業者へ依頼してアンテナを設置するようにしている。
【発明の開示】
【発明が解決しようとする課題】
【０００３】
現在、地上デジタル放送が始まり、ベランダなどへ簡単に取り付けられるアンテナが発売されている。このように簡単に取り付けられるアンテナは、専門業者に依頼することなく、アンテナ設置経験のない者が設置することが予想される。地上デジタル放送用のアンテナを設置する場合、現在の地上デジタル放送用テレビ受信機では、一般に、テレビ設置時に自動でチャンネルスキャンするテレビ受信機とされている。このため、チャンネルスキャンの後に、アンテナレベル表示のメニュー画面に設定することにより、テレビ受信信号の最大レベルになるようにアンテナを方向調整することになる。当然のことながら、チャンネルスキャン時にはアンテナがテレビに接続されていることが必要条件とされ、アンテナの方向調整は、テレビ受信機の画面を見ながら行うようになる。このため、アンテナを設置した場所とテレビ受信機を設置した場所に一人ずつ作業員が必要となって、互いに意思疎通を行うことによりアンテナの方向調整を行わなければならないという問題点があった。
【０００４】
そこで、本発明はテレビ信号受信用アンテナを設置する際、アンテナの設置場所においてアンテナの受信信号レベルを表示することのできる信号レベル表示器を提供することを目的としている。
【課題を解決するための手段】
【０００５】
上記目的を達成するために、本発明の信号レベル表示器は、アンテナにより受信された受信信号からアンテナの受信帯域のみの受信信号を抽出するフィルタ手段と、該フィルタ手段により抽出された受信信号を増幅する増幅手段と、該増幅手段から出力される増幅された受信信号のレベルを調整することのできるゲイン調整手段と、該ゲイン調整手段からの出力を検波する検波手段と、該検波手段から出力される検波信号と、それぞれ異なる基準電圧とを比較する複数の比較手段と、該複数の比較手段からの複数の比較出力に応じて各々点灯制御されることにより、アンテナが受信した受信信号のレベルを点灯状態により表示することのできる複数の表示手段とを備えることを最も主要な特徴としている。
【発明の効果】
【０００６】
本発明は、アンテナにより受信された受信信号からアンテナの受信帯域のみの受信信号を抽出するフィルタ手段と、該フィルタ手段により抽出された受信信号を増幅する増幅手段と、該増幅手段から出力される増幅された受信信号のレベルを調整することのできるゲイン調整手段と、該ゲイン調整手段からの出力を検波する検波手段と、該検波手段から出力される検波信号と、それぞれ異なる基準電圧とを比較する複数の比較手段と、該複数の比較手段からの複数の比較出力に応じて各々点灯制御されることにより、アンテナが受信した受信信号のレベルを点灯状態により表示することのできる複数の表示手段とを備えていることから、アンテナに信号レベル表示器を接続することにより、アンテナの設置場所においてアンテナの受信信号レベルを表示することができるため、一人でテレビ受信信号の最大レベルになるようにアンテナを方向調整して、アンテナを設置することができるようになる。
【発明を実施するための最良の形態】
【０００７】
本発明の実施例の信号レベル表示器の回路構成を図１に示す。
図１に示す信号レベル表示器１は、屋根やベランダに設置されるアンテナ２に同軸ケーブルにより接続されている。アンテナ２により受信されたテレビ受信信号は、レベル表示器１に入力されバンドパスフィルタ(ＢＰＦ）１０によりアンテナ２が動作する周波数帯域のテレビ受信信号の周波数帯域に制限される。例えば、アンテナ２が地上デジタル放送受信用のアンテナとされる場合は、ＢＰＦ１０の通過帯域は４７０ＭＨｚ〜７７０ＭＨｚとされる。ＢＰＦ１０により帯域制限されたテレビ受信信号は、増幅器（ＡＭＰ）１１により所定のレベルになるよう増幅される。ＡＭＰ１１で増幅されたテレビ受信信号はゲイン調整器（Ｇ．Ｃ）１２によりゲインが調整される。
【０００８】
ＡＭＰ１１とＧ．Ｃ１２の作用は次の通りである。弱電界地域にアンテナ２を設置する場合は、アンテナ２で受信されたテレビ受信信号のレベルが小さくなることから、ＡＭＰ１１により増幅することにより十分なレベルのテレビ受信信号とすることができる。一方、強電界地域にアンテナ２を設置する場合は、アンテナ２で受信されたテレビ受信信号のレベルが大きくなり過ぎることから、ＡＭＰ１１により増幅されて大きくなり過ぎたテレビ受信信号のレベルをＧ．Ｃ１２より減衰させることにより適切なレベルのテレビ受信信号とすることができる。このように、G．Ｃ１２によりゲインを調整することにより、弱電界地域でも強電界地域でもＧ．Ｃ１２から出力される受信信号のレベルを、信号レベル表示器１において表示できる範囲内のレベルとすることができるようになる。
【０００９】
ゲイン調整器（Ｇ．Ｃ）１２から出力されるゲイン調整されたテレビ受信信号は、検波回路１３において検波され、テレビ受信信号のレベルに応じた直流レベルの検波信号となる。この検波信号は、並列に設置された５つの比較回路１４ａ，１４ｂ，１４ｃ，１４ｄ，１４ｅの比較端子にそれぞれ共通に印加される。５つの比較回路１４ａ〜１４ｅには、それぞれ基準電圧Vref1，Vref2，Vref3，Vref4，Vref5がそれぞれ基準電圧端子に印加されている。基準電圧Vref2，Vref3，Vref4，Vref5は、基準電圧Vref1を直列に接続された抵抗Ｒ１，Ｒ２，Ｒ３，Ｒ４，Ｒ５により分圧することにより作成されているため、Vref1＞Vref2＞Vref3＞Vref4＞Vref5と云う関係となり、基準電圧Vref1から基準電圧Vref5に向かうに従って低減していく基準電圧となっている。５つの比較回路１４ａ〜１４ｅの比較出力は、それぞれ５つの並列に設置された表示器１５ａ，１５ｂ，１５ｃ，１５ｄ，１５ｅにそれぞれ印加されて、５つの表示器１５ａ〜１５ｅは５つの比較回路１４ａ〜１４ｅの比較出力によりそれぞれ駆動されて点灯するようになる。この場合、比較回路１４ａ〜１４ｅは、基準電圧Vrefより検波信号のレベルが大きいときに有意な比較出力が出力されて表示器１５ａ〜１５ｅが点灯していくことから、検波信号のレベルが高くなるにつれて表示器１５ｅから表示器１５ａに向かって次第に点灯していくようになる。
【００１０】
そこで、アンテナ２に接続した信号レベル表示器１の表示器１５ａ〜１５ｅの点灯状態を観察しながらアンテナ２の方向を変えていき、表示器１５ａ〜１５ｅの点灯数が最も多くなる方向を検出する。そして、当該方向にアンテナ２が向くようにアンテナ２を取り付けることによりアンテナの方向を最良の方向へ設置することができるようになる。この場合、アンテナ２の方向を調整する際に、アンテナ２の方向をどのように変えても表示器１５ａ〜１５ｅのほとんどが点灯しない場合は、ゲイン調整器（Ｇ．Ｃ）１２の減衰量を小さくして再度方向調整を行う。また、逆にアンテナ２の方向をどのように変えても表示器１５ａ〜１５ｅのほとんどが点灯してしまう場合は、ゲイン調整器（Ｇ．Ｃ）１２の減衰量を大きくして再度方向調整を行う。
なお、信号レベル表示器１は電池駆動とされ、例えば、単三電池２本で動作させることができ、小型の携帯可能な信号レベル表示器１とすることができる。
【００１１】
次に、信号レベル表示器１の各部の回路構成を図２ないし図４に示す。
図２は検波回路１３の回路構成を示す図であり、Ｇ．Ｃ１２より供給されたテレビ受信信号は結合コンデンサＣ１を介して第１ダイオードＤ１のカソードと第２ダイオードＤ２のアノードに供給される。第２ダイオードＤ２のカソードは出力端子に接続されると共に抵抗Ｒ６とコンデンサＣ２との並列回路の一端に接続され、抵抗Ｒ６とコンデンサＣ２との並列回路の他端はアースされている。コンデンサＣ１と、第１ダイオードＤ１および第２ダイオードＤ２とコンデンサＣ２とにより倍電圧検波回路が構成されており、テレビ受信信号を倍電圧検波した検波信号が比較回路１４ａ〜１４ｅへ出力されるようになる。
【００１２】
図３は、比較回路１４ａ〜１４ｅの回路構成を示す図であり、検波回路１３からの検波信号がオペアンプＯＰの非反転入力端子（＋）に供給され、オペアンプＯＰの反転入力端子（−）に基準電圧Vrefが供給されている。また、オペアンプＯＰの出力は抵抗Ｒ７を介して出力されて表示器１５ａ〜１５ｅに供給されている。ここで、非反転入力端子に供給されている基準電圧Vrefより非反転入力端子に供給されている検波信号のレベルが大きくなると、オペアンプＯＰの出力はほぼ電源電圧Ｖｃｃの正電圧が出力されるようになる。
【００１３】
図４は、表示器１５ａ〜１５ｅの回路構成を示す図であり、比較回路１４ａ〜１４ｅからの比較出力が供給されてトランジスタＴＲのベースに供給される。トランジスタＴＲのエミッタはアースされ、コレクタは発光ダイオードＬＥＤと抵抗Ｒ８の直列回路を経て電源Ｖｃｃに接続されている。ここで、トランジスタＴＲのベースに例えば、０．６Ｖとされるオン電圧を超えない電圧が供給されると、トランジスタＴＲはオフ状態となりコレクタ電流は流れず発光ダイオードＬＥＤは点灯しない。しかし、トランジスタＴＲのベースにオン電圧以上の電圧が供給されると、トランジスタＴＲはオン状態となりコレクタ電流が流れて発光ダイオードＬＥＤが点灯するようになる。
【産業上の利用可能性】
【００１４】
以上の説明では、地上デジタル放送受信用のアンテナに適用したが、本発明はこれに限ることはなくＶＨＦアンテナやＵＨＦアンテナ、あるいは、衛星放送受信用アンテナ等の指向性を有するアンテナ全般に適用することができる。本発明にかかる信号レベル表示器は、ゲイン調整器を調整することにより、弱電界地域から強電界地域に渡りアンテナに受信された受信信号のレベルを表示することができる。
なお、比較回路は５以上の比較回路として同数の表示器を設けるようにしてもよい。
【図面の簡単な説明】
【００１５】
【図１】本発明の実施例の信号レベル表示器の回路構成をを示す図である。
【図２】本発明の実施例の信号レベル表示器において、検波回路の回路構成を示す図である。
【図３】本発明の実施例の信号レベル表示器において、比較回路の回路構成を示す図である。
【図４】本発明の実施例の信号レベル表示器において、表示器の回路構成を示す図である。
【符号の説明】
【００１６】
１  信号レベル表示器、２  アンテナ、１０  ＢＰＦ、１１  増幅器、１２  ゲイン調整器、１３  検波回路、１４ａ〜１４ｅ  比較回路、１５ａ〜１５ｅ  表示器
【図１】
2007189287.tif 000003
【図２】
2007189287.tif 000004
【図３】
2007189287.tif 000005
【図４】
2007189287.tif 000006